(57)【特許請求の範囲】
【請求項１】
ポールに支持される打撃用電子パッドであって、
貫通穴を有するフレームと、
前記フレームよりも軟質の弾性材料で構成され、前記フレームに固着されるカバー部材とを有し、
前記カバー部材は、前記フレームの表側を覆うと共に打撃される部分となる打面部と、前記ポールが挿通されるためのポール挿通穴が形成され且つ前記フレームの前記貫通穴に挿通嵌合される軸部とを有し、前記打面部及び前記軸部が一体に形成され、
前記貫通穴の周りにおける前記フレームの裏面に沿って、前記軸部から延設片が連接して形成され、
前記カバー部材のうち、前記貫通穴の周りにおける前記フレームの表面に沿い前記軸部に連接した部分と、前記延設片とで、前記フレームを表側と裏側とから挟み且つ、前記ポール挿通穴に前記ポールを挿通した状態で、前記連接した部分と前記延設片とで前記フレームを挟んだ部分をさらに表側と裏側とから挟持することで、前記フレーム及び前記カバー部材を前記ポールに対して固定できるようにしたことを特徴とする打撃用電子パッド。
【請求項２】
前記連接した部分と前記延設片とで前記フレームを挟んだ部分はクッション材を介して挟持されることを特徴とする請求項１記載の打撃用電子パッド。
【請求項３】
前記カバー部材には、前記フレームの外縁部を覆って裏側に折り返される折り返し部が、前記打面部及び前記軸部と共に一体に形成されていることを特徴とする請求項１または２記載の打撃用電子パッド。
【発明の詳細な説明】
【技術分野】
【０００１】
本発明は、電子打楽器に好適な電子シンバル等の打撃用電子パッドに関する。
【背景技術】
【０００２】
従来、電子打楽器においては、アコースティックシンバル等に代わって電子シンバル等の電子パッドが備えられる。電子パッドへの打撃が検出されて、その検出出力に基づいて楽音が発生する。この種の電子パッドは、スタンドのポールに支持されるのが通常である。例えば、下記特許文献１では、硬質のフレームに設けられた貫通穴にポールを挿通し、上下からクッション材を介して締め込むことでパッドがポールに取り付けられる。また、打撃感触の向上や、打撃時の静穏性を確保するために、打撃される面にゴム材等でなるカバー部材が被せられるものも一般的である（下記特許文献１、２）。
【先行技術文献】
【特許文献】
【０００３】
【特許文献１】特開平１０−２０７４５１号公報
【特許文献２】特開２００９−１２８８００号公報
【発明の概要】
【発明が解決しようとする課題】
【０００４】
しかしながら、上記特許文献１の電子パッドでは、パッドへの打撃振動がポールに直接伝わらないように、貫通穴とポールとの間には間隙が設けられることもあってパッドが回転しやすい。そのため、ポールに対するパッドの回転を止めるために、回転止め具として専用の部材を設けている。また、パッドへの打撃振動がポールに直接伝わることの回避は、ポールへの取り付け部における上下のクッション材に依存している。
【０００５】
また、上記特許文献１、２の電子パッドでは、軟質のカバーが硬質のフレームに対して接着等で固着される。しかし、両者は接着によってのみ固着状態が維持されるため、接着状態のバラツキによっては、演奏打撃が繰り返されることによって両者が剥離したり、カバーがフレームから浮き上がったりするおそれが考えられる。そのため、良好な接着状態を確実なものとするために、製造工程簡略化やコスト低減の観点では不利となる。
【０００６】
本発明は上記従来技術の問題を解決するためになされたものであり、その目的は、打撃感触や静穏性を損なうことなく、専用部材を要することなくポールに対する回転止め機能及び緩衝機能を有すると共に、カバー部材とフレームとの固着状態を強固にすることができる打撃用電子パッドを提供することにある。
【課題を解決するための手段】
【０００７】
上記目的を達成するために本発明の請求項１の打撃用電子パッドは、ポール（１２）に支持される打撃用電子パッド（ＰＤ）であって、貫通穴（４７）を有するフレーム（４０）と、前記フレームよりも軟質の弾性材料で構成され、前記フレームに固着されるカバー部材（２０）とを有し、前記カバー部材は、前記フレームの表側を覆うと共に打撃される部分となる打面部（２２）と、前記ポールが挿通されるためのポール挿通穴（３１）が形成され且つ前記フレームの前記貫通穴に挿通嵌合される軸部（３０）とを有し、前記打面部及び前記軸部が一体に形成され、前記貫通穴の周りにおける前記フレームの裏面に沿って、前記軸部から延設片が連接して形成され、前記カバー部材のうち、前記貫通穴の周りにおける前記フレームの表面に沿い前記軸部に連接した部分と、前記延設片とで、前記フレームを表側と裏側とから挟み且つ、前記ポール挿通穴に前記ポールを挿通した状態で、前記連接した部分と前記延設片とで前記フレームを挟んだ部分をさらに表側と裏側とから挟持することで、前記フレーム及び前記カバー部材を前記ポールに対して固定できるようにしたことを特徴とする。
【００１０】
好ましくは、前記カバー部材には、前記フレームの外縁部（４１）を覆って裏側に折り返される折り返し部（２４）が、前記打面部及び前記軸部と共に一体に形成されている（請求項３）。
【００１１】
好ましくは、前記貫通穴と前記ポール挿通穴とは相似形でない。また、前記軸部の断面外郭形状及び前記貫通穴（４７）は、同じ多角形である。
【００１２】
なお、上記括弧内の符号は例示である。
【発明の効果】
【００１３】
本発明の請求項１によれば、打撃感触や静穏性を損なうことなく、専用部材を要することなくポールに対する回転止め機能及び緩衝機能を有すると共に、カバー部材とフレームとの固着状態を強固にすることができる。
【００１６】
請求項３によれば、軸部から外縁部にかけての全領域でカバー部材の浮きを防止し、カバー部材とフレームとの固着状態をより強固にすることができる。
【図面の簡単な説明】
【００１７】
【図１】本発明の一実施の形態の形態に係る打撃用電子パッドの構成部品のうちフレームの平面図、裏面図である。
【図２】同打撃用電子パッドの構成部品のうちカバー部材の平面図、裏面図である。
【図３】図２（ａ）のＡ−Ａ線に沿う打撃用電子パッドの断面図である。
【図４】図３のＢ−Ｂ線に沿う部分断面図（図（ａ））、カバー部材の軸部周りの模式的な裏面図（図（ｂ））である。
【図５】軸部及び延設片の変形例の模式的な裏面図である。
【図６】変形例の打撃用電子パッドの部分断面図である。
【発明を実施するための形態】
【００１８】
以下、本発明の実施の形態を図面を参照して説明する。
【００１９】
図１（ａ）、（ｂ）は、本発明の一実施の形態の形態に係る打撃用電子パッドの構成部品のうちフレームの平面図、裏面図である。図２（ａ）、（ｂ）は、同打撃用電子パッドの構成部品のうちカバー部材の平面図、裏面図である。図３は、図２（ａ）のＡ−Ａ線に沿う打撃用電子パッドの断面図である。
【００２０】
本実施の形態の打撃用電子パッドＰＤ（以下、「電子パッドＰＤ」という）は、一例としてシンバルとして構成されるが、ハイハットシンバルとして構成してもよい。基本構成が同様の電子パッドＰＤが複数集まって、電子打楽器が構成される。電子パッドＰＤは、主に、カバー部材２０、フレーム４０及び裏カバー１６から構成される。
【００２１】
図３に示すように、この電子パッドＰＤは、スタンド支柱１０に支持される。特に、シンバルとして用いられる場合は、若干斜めに支持される。しかし、いずれにしても電子パッドＰＤは概ね水平に近い状態で保持されるので、保持状態における上側を表側、下側を裏側と呼称する。スタンド支柱１０の上部には支持部１１が固定され、支持部１１において上方に延びる筒部内にポール１２が固定されている。電子パッドＰＤは、ポール１２を介してスタンド支柱１０によって支持される。
【００２２】
固定状態に関して図３では模式的に示されているが、電子パッドＰＤのポール挿通穴３１（詳細は後述する）にポール１２が挿通され、電子パッドＰＤの上下にクッション材１３、１４が介装される。ポール１２の上端部には雌ねじが形成されている。上方から蝶ネジ１５をポール１２に螺合し、締め付けることで、蝶ネジ１５の羽に相当する部分（図３に表れていない）がクッション材１３を押圧する。これにより、クッション材１３、１４を介して電子パッドＰＤが蝶ネジ１５と支持部１１との間に上下から挟持固定される。
【００２３】
フレーム４０はＰＰ（ポリプロピレン）等の硬質材でなる。カバー部材２０はゴム等の弾性材料で一体に形成され、フレーム４０よりも軟質である。裏カバー１６は樹脂等で構成される。
【００２４】
図１（ａ）に示すように、フレーム４０は平面視略円形に構成される。フレーム４０の表側において、段差を形成して高い部位となる弓状部４３が形成される。弓状部４３以外の領域が、カバー部材２０によって覆われる領域となる。図１（ａ）において、弓状部４３が奏者からみて後側であり、フレーム４０の外縁部４１のうち弓状部４３でない側が奏者側（前側）となる。フレーム４０の後半部であって弓状部４３の前方は上方に盛り上がったカップ対応部４２となっており、当該カップ対応部４２の中央には、平面視で正三角形の貫通穴４７が形成されている。
【００２５】
フレーム４０の表面の前半部であって、貫通穴４７より前方で外縁部４１の内側は平坦な接着面４０ａとなっている。フレーム４０の前半部における外縁部４１の上面には、第１シートセンサ４４が接着等によって配設されている。貫通穴４７の周囲の前半部において、平坦となっている領域には、第２シートセンサ４５が接着等によって配設されている。フレーム４０における弓状部４３の前側には３つの係合穴４６が弓状部４３に連接して形成されている。各シートセンサ４４、４５は、フィルム状センサであるが、圧力変化を感知して独立して検出信号を出力するものであればよく、圧電型、キャパシタ型等、その種類は問わない。
【００２６】
図１（ｂ）、図３に示すように、フレーム４０の裏面４０ｂであって裏カバー１６内には、ピエゾセンサ４８が配設されている。ピエゾセンサ４８は、圧電素子で構成されるが、振動を感知できる構成であれば、種類は問わない。裏カバー１６内にはさらに、信号出力部１７が配設される。
【００２７】
図２（ａ）、（ｂ）、図３に示すように、カバー部材２０の後半部において、カップ部２３が、上方に盛り上がって形成される。カップ部２３から、エッジ部に相当する外縁部２１までの領域が主打面部２２となっている。これら、カップ部２３、主打面部２２及び外縁部２１は、フレーム４０を覆い、演奏操作によりスティックで打撃される。外縁部２１においては、打撃だけでなく、指によって上下から挟むように摘む操作（ミュート操作）もなされる。
【００２８】
カバー部材２０の後部には、フレーム４０の係合穴４６に対応する３つの係合爪２６が突設形成される。カバー部材２０の前側の外縁部２１には、フレーム４０の外縁部４１を覆って裏側に折り返される折り返し部２４が形成されている（図３参照）。カップ部２３の下部の前半部には、突条部２５が突設形成されている（図２（ｂ）、図３）。
【００２９】
図４（ａ）は、図３のＢ−Ｂ線に沿う部分断面図である。図３、図４（ａ）に示すように、カップ部２３の中心には、上下方向に沿う中空の軸部３０が形成され、軸部３０の内径が円形のポール挿通穴３１となっている。軸部３０の断面外郭形状は、貫通穴４７と同じ正三角形である。貫通穴４７が成す正三角形の各内角の頂部は若干丸く（Ｒ形状に）なっており、軸部３０の断面外郭形状が成す正三角形の内角の頂部３０ｘ、３０ｙ、３０ｚも、貫通穴４７と同様に丸くなっている。従って、軸部３０の断面外郭形状は、貫通穴４７に対して嵌合的なサイズ及び形状となっている。
【００３０】
図４（ｂ）は、カバー部材２０の軸部３０周りの模式的な裏面図である。軸部３０の上部はカップ部２３に連接し、軸部３０の下部からは延設片３２（３２Ａ、３２Ｂ、３２Ｃ）が延設形成されている（図３も参照）。延設片３２Ａ、３２Ｂ、３２Ｃを各々みると、軸部３０の断面外郭形状が呈する三角形の各辺に相当する辺相当部３０Ａ、３０Ｂ、３０Ｃから、それぞれが連接して延設形成される。これらを全体としてみると、すべての延設片３２Ａ、３２Ｂ、３２Ｃから一体に認識される平面視形状の外郭３２ｏｕｔが円形となっている。外郭３２ｏｕｔは、軸部３０の頂部３０ｘ、３０ｙ、３０ｚで繋っており、すなわち、延設片３２と軸部３０とは、外郭位置が一致点Ｐｘ、Ｐｙ、Ｐｚで一致している。
【００３１】
図３に示すように、フレーム４０とカバー部材２０との組み付け状態においては、フレーム４０のカップ対応部４２のうち、延設片３２に対して形状が対応している内縁部４２ａが延設片３２に接する。延設片３２は、内縁部４２ａの裏面４２ａｂに沿っている。ポール１２への電子パッドＰＤの取り付け状態においては、カップ部２３のうち、内縁部４２ａの表面４２ａａに沿い軸部３０に連接した部分である内縁部対応部２３ａと、延設片３２とに、内縁部４２ａが表側と裏側とから挟まれる状態となる。内縁部４２ａ、軸部３０及び延設片３２が、実質的にポール１２への取り付け部となる。
【００３２】
ところで、フレーム４０とカバー部材２０との組み付け状態においては、カバー部材２０の係合爪２６が、それぞれ対応するフレーム４０の係合穴４６に係合する。また、突条部２５は第２シートセンサ４５の直上に位置し、カップ部２３が打撃されると第２シートセンサ４５を押圧する。外縁部２１が打撃されると第１シートセンサ４４が押圧される。主打面部２２を含む打撃領域に対する打撃によるフレーム４０の振動は、ピエゾセンサ４８で検出される。
【００３３】
ピエゾセンサ４８は、主に主打面部２２への打撃による振動を検出し、打撃の有無及びその強さを示す検出信号を出力する。第２シートセンサ４５は、カップ部２３に対する打撃を検出し、打撃の有無及びその強さを示す検出信号を出力する。第１シートセンサ４４は、外縁部２１に対する打撃と上下から押圧するミュート操作とを検出し、打撃及びミュート操作の各有無と、打撃強さとを示す検出信号を出力する。これらの検出信号は、信号出力部１７を介して本電子パッドＰＤの外部に出力される。
【００３４】
フレーム４０への打撃により、ピエゾセンサ４８とシートセンサ４４、４５のうち複数が同時に検出信号を出力することがあり得るが、どのセンサの信号をどのように楽音制御に用いるかは任意に設定可能である。例えば、単純に、最も大きな値を示す信号を出力したセンサの信号を楽音制御に用いるようにしてもよい。また、第１シートセンサ４４については、外縁部２１における打撃操作の検出専用に用いるようにしてもよい。あるいは、シートセンサ４４、４５がピエゾセンサ４８と協働して打撃を検出すると共に、打撃位置の判断のためにシートセンサ４４、４５の検出信号を用いるようにしてもよい。
【００３５】
本電子打楽器には、図示はしないが、ＣＰＵ、記憶装置、各種インターフェイス、楽音発生部が備えられる。一例として、不図示のＣＰＵが次のように楽音制御する。まず、各センサの出力信号から、総合的に、打撃の有無（タイミング）及び打撃位置を判断する。そして打撃位置によって、発音する音色を異ならせる。
【００３６】
カバー部材２０は、次のようにしてフレーム４０に組み付けられる。まず、フレーム４０の表側から、３つの延設片３２を１つずつ貫通穴４７に通す。従来、貯金箱の底に取り付けられるゴム底蓋等にみられるように、延設片を有した蓋部材を貫通穴に装着する構成のものは、貫通穴と延設片とが共に円形であることが多い。延設片の外径は貫通穴より大きいので、延設片を撓ませながら任意の位置から貫通穴に通すことになる。延設片が十分に柔らかければその作業に支障はない。
【００３７】
しかし、本実施の形態におけるカバー部材２０は、打撃感触や打撃時の静穏性を重視して材質や硬さを決定しているので、上記の貯金箱の蓋部材のように柔らかくはできない。そのため、仮に、上記の貯金箱の蓋部材のような従来の形状（円形）をそのまま本実施の形態のフレーム４０とカバー部材２０との組み付け部の構成に採用すると、延設片３２が硬いため、無理な変形を生じさせないと貫通穴に通しにくく、また、ある部分を通す際に、既に通っている部分が抜けてしまうこともあって、作業は難しくなる。
【００３８】
ところが、本実施の形態では、貫通穴４７及び軸部３０が三角形であって、延設片３２Ａ、３２Ｂ、３２Ｃは、一致点Ｐｘ、Ｐｙ、Ｐｚで分かれてそれぞれ独立した延設片となっている（図４（ｂ））。そのため、まず、１つ目の延設片３２（例えば、延設片３２Ａ）を貫通穴４７に通すことは容易である。次の延設片３２（例えば、延設片３２Ｂ）を通す際には、延設片３２Ｂの先端を少し下方に折り曲げ、上方から押し込むか、下方から引っ張る等すれば、既に貫通している延設片３２Ａが抜けることなく延設片３２Ｂが容易に通る。３つ目の延設片３２Ｃについても同様にして通す。
【００３９】
このように、既に挿通されている延設片３２の挿通状態を維持しつつ延設片３２を１つずつ順に通すことができ、作業性がよい。特に、延設片３２全体としての外郭３２ｏｕｔが、頂部３０ｘ、３０ｙ、３０ｚで繋っているので、作業時に延設片３２が破れにくい。外郭３２ｏｕｔは円形であるので、成形による製造も容易である。３つの延設片３２が挿通されると、軸部３０が貫通穴４７に挿通嵌合された状態となる。
【００４０】
次に、フレーム４０の３つの係合穴４６に、カバー部材２０の対応する３つの係合爪２６を差し込んで係合させる。次に、フレーム４０の接着面４０ａに両面テープや接着剤を施し、カバー部材２０を貼り付ける。なお、第１シートセンサ４４、第２シートセンサ４５については、カバー部材２０が接着面４０ａに接着されるより前の適当な段階で配設しておく。次に、カバー部材２０の外縁部２１を前方に引っ張りながら、折り返し部２４をフレーム４０の外縁部４１に嵌めて、折り返し部２４が外縁部４１の裏側を覆うようにする。これによりカバー部材２０がフレーム４０に固着される。裏カバー１６及びその内装部品のフレーム４０への配設時期については、カバー部材２０の固着の前後を問わない。
【００４１】
カバー部材２０がフレーム４０に固着され、電子パッドＰＤが完成すると、その使用時においては、ポール１２に固定される。図３に示すように、支持部１１にクッション材１４を装着してポール挿通穴３１にポール１２及び支持部１１の筒部を挿通し、その上からクッション材１３を配置して、蝶ネジ１５をポール１２に螺合する。
【００４２】
カバー部材２０の内縁部対応部２３ａと延設片３２とにフレーム４０の内縁部４２ａが挟まれた状態で、これらがクッション材１３、１４を介して蝶ネジ１５と支持部１１との間に挟持される。これにより、カバー部材２０の肉部を介してフレーム４０が共締め状態で固定されるので、カバー部材２０とフレーム４０とを確実に固着状態にすることができる。
【００４３】
また、軸部３０は弾性を有するので、蝶ネジ１５を締め付けるとポール挿通穴３１が内側に縮んで支持部１１の筒部を介してポール１２に密着する。これにより、ポール１２に対する電子パッドＰＤの回り止め機能が果たされると共に、振動伝達が抑制されて緩衝機能が果たされる。特に、軸部３０の断面外郭形状は三角形であって、ポール１２の断面形状とは相似形でないので、軸部３０の弾性変形によるポール挿通穴３１の縮み方は円周方向において均一でなく、ポール１２を３箇所において強く締め付ける箇所が生じる。これは、ポール１２の締め付け効果を高めて回転止め機能を向上させることに寄与する。この観点に限れば、軸部３０の断面外郭形状とポール１２の断面形状とは、相似形でなければよく、三角形と円形という組み合わせに限られない。
【００４４】
本実施の形態によれば、カバー部材２０が、ポール挿通穴３１が形成された軸部３０、カップ部２３、主打面部２２及び外縁部２１を含んで、フレーム４０よりも軟質の弾性材料で一体に形成され、軸部３０が貫通穴４７に挿通嵌合された状態でポール１２に固定される。これにより、カバー部材２０の適当な弾性によって打撃感触や静穏性が確保されると共に、回り止め部材や、ポール挿通穴３１の外周に接する箇所の緩衝部材を専用に設ける必要がなく、ポール１２に対する回転止め機能及び緩衝機能を確保することができる。さらに、接着面４０ａだけでなく、弾性のある軸部３０が貫通穴４７に嵌合されるので、カバー部材２０とフレーム４０との固着状態を強固にすることができる。また、カバー部材２０が一体に形成されるので、構成が簡単で製造も容易である。
【００４５】
しかも、軸部３０と貫通穴４７とは円ではなく同じ三角形で嵌合的であるので、カバー部材２０とフレーム４０との回転方向及び水平方向の位置決めを精度良く行える。さらに、延設片３２Ａ、３２Ｂ、３２Ｃが、内縁部４２ａの裏面４２ａｂに沿って、軸部３０が呈する三角形の辺相当部３０Ａ、３０Ｂ、３０Ｃから連接して延設形成された。これらにより、カバー部材２０のフレーム４０への取り付け作業性が向上する。特に、延設片３２全体としての外郭３２ｏｕｔが、頂部３０ｘ、３０ｙ、３０ｚで繋がっているので、作業時に延設片３２が破れにくく、作業性が向上する。それだけでなく、仮に、接着面４０ａにおいて接着状態に多少のバラツキがあったとしても、カバー部材２０がフレーム４０から剥離したり浮き上がったりするおそれが小さくなる。この効果は、フレーム４０の外縁部４１を包むように設けられる折り返し部２４との協働によってさらに助長される。すなわち、フレーム４０の外縁部４１を包むように設けられる折り返し部２４が、軸部３０、カップ部２３、主打面部２２及び外縁部２１と共に一体に形成されているので、軸部３０から外縁部２１にかけての全領域でカバー部材２０の浮きを抑制でき、カバー部材２０とフレーム４０との固着状態をより強固にすることができる。製造工程簡略化やコスト低減の観点でも有利となる。
【００４６】
また、軸部３０の下部からは、内縁部４２ａの裏面４２ａｂに沿って延設片３２が連接して形成されたので、軸部３０が貫通穴４７から抜けにくく、カバー部材２０とフレーム４０との固着状態をより強固にすることができる。
【００４７】
また、軸部３０の断面外郭形状及び貫通穴４７は、同じ三角形であって嵌合しているので、カバー部材２０のフレーム４０に対する回転方向のずれを防止して固着状態をより強固にすることができる。
【００４８】
なお、打撃感触や静穏性を損なうことなく、専用部材を要することなくポール１２に対する回転止め機能及び緩衝機能を有することに限って言えば、軸部３０及び貫通穴４７が三角形であることや、延設片３２を設けることは必須でない。
【００４９】
また、カバー部材２０のフレーム４０への取り付け作業性を向上させることに限って言えば、軸部３０及び貫通穴４７の形状は、三角形に限られず、また、延設片３２の外郭形状も円形に限られない。図５にこれらの変形例を示す。
【００５０】
図５（ａ）〜（ｅ）は、軸部３０及び延設片３２の変形例の模式的な裏面図である。いずれの変形例においても、貫通穴４７の形状は、軸部３０と同じ多角形で嵌合的な形状であるとする。延設片３２を貫通穴４７に通す回数を最少として作業を容易にする観点からは、軸部３０の断面外郭形状は三角形が理想であるが、それ以外の多角形であってもよい。
【００５１】
例えば、図５（ａ）に示すように、軸部３０の断面外郭形状を四角形とし、これの４つの内角の頂部を通るように、延設片３２の平面視形状の外郭３２ｏｕｔを円形に設計してもよい。なお、図５（ａ）には模式図であるので表現されていないが、軸部３０の四角形の内角の頂部は、図４（ｂ）の例と同様に丸くするのがよく、他の変形例においても同様である。
【００５２】
また、軸部３０の断面外郭形状を五角形とし、これの内角の頂部を通るように延設片３２の平面視形状の外郭３２ｏｕｔを円形に設計してもよい（図５（ｂ）参照）。あるいは、軸部３０の断面外郭形状を菱形とし、これの内角の頂部を通るように延設片３２の平面視形状の外郭３２ｏｕｔを楕円形に設計してもよい（図５（ｃ）参照）。
【００５３】
また、外郭３２ｏｕｔは円形に限るものではなく、延設片３２Ａ、３２Ｂ、３２Ｃが、軸部３０が呈する多角形の辺相当部３０Ａ、３０Ｂ、３０Ｃから連接して延設形成されていればよい。例えば、図５（ｄ）に示すように、三角形の辺相当部３０Ａ、３０Ｂ、３０Ｃから延設片３２Ａ、３２Ｂ、３２Ｃを延設形成する。そして、延設片３２Ａ、３２Ｂ、３２Ｃの全体から認識される外郭３２ｏｕｔは、頂部３０ｘ、３０ｙ、３０ｚで繋がっていて、延設片３２と軸部３０とは、外郭位置が一致点Ｐｘ、Ｐｙ、Ｐｚで一致している。
【００５４】
また、作業時に延設片３２が破れにくいという効果を求めない場合は、図５（ｅ）に示すように、外郭３２ｏｕｔの形状を、頂部３０ｘ、３０ｙ、３０ｚで繋がらない形状とすることも可能である。逆に、作業時に延設片３２が破れにくいという効果を得る観点に限れば、少なくとも、隣接する延設片の外郭同士が繋がっている部分の平面視における外郭形状が、円弧であることが望ましい。図４（ｂ）や図５（ａ）〜（ｃ）の例はこれを満たしている。
【００５５】
なお、打撃感触や静穏性を損なうことなく、専用部材を要することなくポール１２に対する回転止め機能及び緩衝機能を有することに限って言えば、図６に変形例を示すように、軸部３０及び貫通穴４７が多角形でなく円形であってもよい。
【００５６】
図６は、変形例の打撃用電子パッドの部分断面図である。この変形例では、ハイハットシンバルを例にとっている。貫通穴４７は円形である。また、軸部３０は断面外郭形状が円形で、くびれ部分３０ａも断面外郭形状が円形である。くびれ部分３０ａが貫通穴４７に嵌合されている。ただし、図３で示した構成に比し、軸部３０の上下方向の長さが長くなっていて、延設片３２に相当する部分が上下に厚くなっている。従って、ポール挿通穴３１が、長い領域で、支持部１１の筒部を介してポール１２に嵌め合わせ状態となっている。これらにより、電子パッドＰＤがポール１２に対して回りにくくなっていると共に、フレーム４０にかかる打撃による負荷が低減され、耐久性が維持される。
【００５７】
なお、本電子パッドＰＤをハイハットシンバルとして構成するときは、ペダル操作される不図示のハイハットコントローラを併用することが考えられる。その場合、踏み込み操作を検出して検出信号によって打撃音を制御するようにすれば、電子パッドＰＤ自体は上下動する構成とする必要はない。
【符号の説明】
【００５８】
ＰＤ  電子パッド（打撃用電子パッド）、  １２  ポール、  ２０  カバー部材、  ２２  主打面部（打面部）、  ２３ａ  内縁部対応部、  ２４  折り返し部、  ３０  軸部、  ３１  ポール挿通穴、  ３２  延設片、  ４０  フレーム、  ４１  外縁部、  ４２ａａ  表面、  ４２ａｂ  裏面、  ４７  貫通穴
【図１】
0005549995.tif 000002
【図２】
0005549995.tif 000003
【図３】
0005549995.tif 000004
【図４】
0005549995.tif 000005
【図５】
0005549995.tif 000006
【図６】
0005549995.tif 000007